(57)【特許請求の範囲】
【請求項１】
被取付面に取り付けられる照明器具であって、
灯具本体と、
前記灯具本体に給電する電源部と、
前記被取付面に前記照明器具を取り付けるための取付部と、
アーム部材と、前記アーム部材の照射面側を覆うアームカバーとを有するアーム部と、を備え、
前記電源部は、前記取付部の下部に重なるように配置され、
前記灯具本体と前記電源部とは、前記アーム部を介して結合され、
前記灯具本体と前記電源部との間に空間を有する、照明器具。
【請求項２】
請求項１に記載の照明器具であって、
前記アーム部において、
前記電源部側に結合している前記アーム部の電源部側端部が、前記灯具本体側に結合しているアーム部の灯具本体側端部よりも上方に配置される、照明器具。
【請求項３】
請求項１または請求項２に記載の照明器具であって、
前記アーム部は、前記電源部側から前記灯具本体側に向かうにしたがって、前記照明器具の下方側へ傾斜する、照明器具。
【請求項４】
請求項１から請求項３のいずれか一項に記載の照明器具であって、
前記灯具本体の外形形状が中空形状である、照明器具。
【請求項５】
請求項１から請求項４のいずれか一項に記載の照明器具であって、
前記電源部及び前記取付部は、前記灯具本体の中央に配置される、照明器具。
【請求項６】
請求項１から請求項５のいずれか一項に記載の照明器具であって、
リモコン信号による操作が可能であり、
前記電源部は、前記リモコン信号を受信する受信部を備え、
前記受信部は、前記電源部の底部に配置される、照明器具。
【請求項７】
請求項６に記載の照明器具であって、
前記電源部は、側部に前記リモコン信号のチャンネル切替スイッチを有する、照明器具。
【発明の詳細な説明】
【技術分野】
【０００１】
本発明は、照明器具に関する。
【背景技術】
【０００２】
近年、低消費電力、長寿命などの利点を有するＬＥＤ（Ｌｉｇｈｔ  Ｅｍｉｔｔｉｎｇ  Ｄｉｏｄｅ：発光ダイオード）を光源として用いた、天井に取り付けられる照明器具（シーリングライト）が種々提案されている（例えば、特許文献１参照）。
【０００３】
特許文献１には、光源にＬＥＤを用いた円形の照明器具（シーリングライト）が開示されている。特許文献１の照明器具は、ＬＥＤ素子実装基板に実装された複数のＬＥＤ素子を光源として備えるものである。ＬＥＤ素子実装基板は、縦断面がハット形状である略円形状の放熱板に設けられる。この放熱板の背面側には、天井側に最も近い部材として略円形状の本体ベースと、該本体ベースと放熱板の間に配置される点灯回路基板を備えている。特許文献１の照明器具は、家屋の天井面に設けられる引掛シーリング等の屋内配線部品に係合する取付アダプタを介することによって、外部電源に接続されると共に天井面の所定位置に固定されるように構成されている。
【先行技術文献】
【特許文献】
【０００４】
【特許文献１】特開２０１３−４８１６７号公報
【発明の概要】
【発明が解決しようとする課題】
【０００５】
特許文献１に開示された照明器具は、ブラケットなどの支持部材を介さずに照明器具の灯具本体部分を直接天井に取り付ける円形状の天井直付け型の照明器具であり、照明器具の扁平な背面側（特許文献１の本体ベース）を天井に近接して取り付けられる。そのため、天井面と照明器具との間で空気の流れが滞留し易い。すなわち、特許文献１の照明器具は、照明器具から天井面側（照明器具背面側）へと放出される熱が照明器具背面側の中央部にこもり易く、放熱性が悪いという課題があった。
【０００６】
そこで、本発明は、上記課題に鑑みてなされたものであり、ＬＥＤを光源とする照明器具であって、天井面と灯具本体との間において空気の流れが滞留することを抑え、良好な放熱性を有する照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
被取付面に取り付けられる照明器具であって、
灯具本体と、
前記灯具本体に給電する電源部と、
前記被取付面に前記照明器具を取り付けるための取付部と、
アーム部材と、前記アーム部材の照射面側を覆うアームカバーとを有するアーム部と、を備え、
前記電源部は、前記取付部の下部に重なるように配置され、
前記灯具本体と前記電源部とは、前記アーム部を介して結合され、
前記灯具本体と前記電源部との間に空間を有するものである。
【０００９】
本願に開示する照明器具において、
前記アーム部において、
前記電源部側に結合している前記アーム部の電源部側端部が、前記灯具本体側に結合しているアーム部の灯具本体側端部よりも上方に配置されることが好ましい。
【００１０】
本願に開示する照明器具において、
前記アーム部は、前記電源部側から前記灯具本体側に向かうにしたがって、前記照明器具の下方側へ傾斜することが好ましい。
【００１１】
本願に開示する照明器具において、
前記灯具本体の外形形状が中空形状であることが好ましい。
【００１２】
本願に開示する照明器具において、
前記電源部及び前記取付部は、前記灯具本体の中央に配置されることが好ましい。
【００１３】
本願に開示する照明器具において、
リモコン信号による操作が可能であり、
前記電源部は、前記リモコン信号を受信する受信部を備え、
前記受信部は、前記電源部の底部に配置されることが好ましい。
【００１４】
本願に開示する照明器具において、
前記電源部は、側部に前記リモコン信号のチャンネル切替スイッチを有することが好ましい。
【発明の効果】
【００１５】
本発明によれば、灯具本体と電源部との間に空間を有するため、灯具本体と天井面との間で空気の流れが滞留することを抑えて、放熱性を向上することができる。
【図面の簡単な説明】
【００１６】
【図１】本発明の第１実施形態に係る照明器具を斜め下方から見た斜視図。
【図２】同じく照明器具を斜め上方から見た斜視図。
【図３】同じく照明器具を上方から見た上面図。
【図４】同じく照明器具（セードが無い状態）を下方から見た平面図。
【図５】同じく照明器具を示す、図３におけるＡ−Ａ線断面図。
【図６】図５における照明器具の灯具本体を示す拡大断面図。
【図７】電源部付近を示す、図４におけるＢ−Ｂ線断面図。
【図８】同じく照明器具を斜め上方から見た分解斜視図。
【図９】同じく照明器具を斜め下方から見た分解斜視図。
【図１０】本発明の第２実施形態に係る照明器具を斜め下方から見た斜視図。
【図１１】第２実施形態に係る照明器具を上方から見た上面図。
【図１２】第２実施形態に係る照明器具を示す側面図。
【発明を実施するための形態】
【００１７】
本発明の第１実施形態に係る照明器具１１について、図１から図９を用いて説明する。本実施形態に係る照明器具１１は、複数のＬＥＤ５３（図４参照）を光源とする照明器具である。図５に示すように、照明器具１１は、被取付面である天井面Ｃに設けられた配線部品である引掛シーリング１００に取り付けられるシーリングライトである。以下の説明では、照明器具１１の光を照射する側を照明器具１１の照射面側（照明器具１１を天井面Ｃに取り付けた状態では床側）とし、該照射面側の反対側であって照明器具１１における天井面Ｃに対向する側を照明器具１１の取付面側（照明器具１１を天井面Ｃに取り付けた状態では天井側）として説明する。また、照明器具１１の上下方向は、照明器具１１が天井面Ｃに設置された状態における上下方向（図５における上下方向）として説明する。また、上下方向に直交する方向を径方向として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
【００１８】
図１、図２に示すように、照明器具１１は、リング状の灯具本体２１、アーム部４１、電源部６１、及び取付部７１を有している。灯具本体２１は、複数のアーム部４１を介して取付部７１に支持されている。
【００１９】
灯具本体２１は、照明器具１１の発光する部分（発光部）である。灯具本体２１は、主に基部３１、光源部５１、セード８１及びカバー９１を有している。灯具本体２１は、図３に示すように、平面視における形状が所定幅を有する円環状であり、中空形状を有する。灯具本体２１は、取付部７１を中央にして該取付部７１から径方向外側へ放射状に延びる複数のアーム部４１により支持されている。灯具本体２１は、図５に示すように、複数のアーム部４１、取付部７１を介して天井面Ｃに取り付けられる。灯具本体２１は、上端と天井面Ｃとの間に上下方向の間隔として所定間隔Ｄを有する。灯具本体２１と電源部６１とは、アーム部４１及び取付部７１を介して結合される。
なお、本実施形態では、灯具本体２１における平面視形状を所定幅を有する円環状としているが、特に限定するものではない。例えば、平面視において所定幅を有する、楕円形状、三角形状、四角形状、または多角形状の中空形状とすることもできる。また、中空形状だけではなく、複数の灯具本体２１を有する形状でもよい。
【００２０】
基部３１は、平面視において径方向に所定の幅を有する略円環の板状部材である。本実施形態の基部３１は所定の幅を有する円弧状の板状部材を複数（本実施形態では３つ）組み合わせて略円環形状を形成しているが、これに限らず１つの略円環の板状部材から形成しても良い。基部３１は、熱伝導率の高いアルミニウム合金等の金属素材を用いて形成されている。基部３１には、光源部５１、セード８１、カバー９１が保持されるとともに、アーム部４１が有するアーム部材４２の一端が取り付けられる。基部３１は、光源取付部３２、光源固定部３３、アーム固定部３４、及びカバー固定部３５を有している。光源取付部３２は、基部３１の照射面側の平坦面であり、複数のモジュール基板５４を当接して取り付けるための部分である。また、光源取付部３２の照射面側の表面は、ＬＥＤ５３から出射される光を反射する反射面の機能を有する。光源固定部３３は、光源部５１（モジュール基板５４）をネジ部材５９により固定するために光源取付部３２に複数設けられた、ネジ部材５９を螺合するためのネジ孔である。なお、光源固定部３３は、例えばバーリング加工によって形成されることにより、ネジ部材５９との螺合部分の長さを長く確保することもできる。アーム固定部３４は、アーム部４１が有するアーム部材４２の一端をネジ部材により固定するために基部３１に複数設けられた、当該ネジ部材を螺合するためのネジ孔である。カバー固定部３５は、光源取付部３２の外周縁近傍に複数（本実施形態では３箇所）かつ周方向に略等間隔に設けられる。カバー固定部３５は、カバー９１をネジ部材９３により固定するために光源取付部３２に複数設けられた、ネジ部材９３を螺合するためのネジ孔である。基部３１は、アーム部４１が有するアームカバー４３の一端とセード８１との間に介装された状態で、ネジ部材４９によりアームカバー４３のネジ取付部４３ｃとセード８１のネジ取付部８２ａとが螺合される。これにより、セード８１が基部３１の照射面側に固定される。基部３１は、放熱板としての機能を有している。そのため、光源取付部３２はモジュール基板５４との接触面積が広くなるよう平坦に形成され、モジュール基板５４が光源取付部３２に密着して取り付けられることでＬＥＤ５３から発生した熱がモジュール基板５４から基部３１の光源取付部３２に伝導する。基部３１に伝わった熱は、さらに基部３１と接触するアーム部４１、セード８１及びカバー９１へと伝導し、それらの各部材から周囲の空気に放熱することができる。
【００２１】
基部３１は、光源部５１、セード８１及びカバー９１等を保持するための強度と、モジュール基板５４が発する熱を放熱させるための熱伝導性とを考慮し、アルミニウム合金等の金属素材からなる所定板厚の部材として形成されている。なお、基部３１は、強度及び放熱性が確保できれば、アルミニウム合金等の金属材料に限らず、樹脂などの他の材料、もしくはそれら材料の組み合わせで形成することもできる。
【００２２】
光源部５１は、照明器具１１の照射面側（室内では床面側）に向けて光を出射する部分である。光源部５１は、基部３１の照射面側に配置される。光源部５１は、図４に示すように、複数のＬＥＤ５３を有し、基部３１の光源取付部３２に配置される平板状のものである。具体的には、光源部５１は、略円環状に連設された複数（本実施形態では、６枚）のモジュール基板５４からなる。各モジュール基板５４は、発光素子を備える発光素子基板として、平板状の基板５２上に複数の点光源であるＬＥＤ５３が実装されて主に構成されている。複数のＬＥＤ５３は、主光源であるＬＥＤ５３ａと、保安灯用のＬＥＤ５３ｂを含む。なお、保安灯用ＬＥＤ５３ｂは、必ずしも必要ではない。また、保安灯用ＬＥＤ５３ｂを基板５２上に実装しなくてもよく、例えば、基板５２とは異なる別基板の実装面上に実装してもよい。複数のＬＥＤ５３ａは、各モジュール基板５４の周方向に沿って円弧状かつ略等間隔に配置されている。各モジュール基板５４における複数のＬＥＤ５３は、図４に示すように、複数個（本実施形態では１４個）のＬＥＤ５３ａ、１個のＬＥＤ５３ｂ、から構成されている。複数のＬＥＤ５３ａは、略円環状に形成された６つのモジュール基板５４の照射面側において略円環形状となるように配置されている。
【００２３】
モジュール基板５４が有する基板５２は、図４に示すように、平面視において所定幅を有する略円弧状に形成されている。基板５２は、周方向の対向する両端部において、径方向に沿って形成された端部５２ａを有している。各モジュール基板５４は、周方向の各端部５２ａ同士を対向させるとともに、各モジュール基板５４間を電気的に接続する配線部品５８により接続される。各モジュール基板５４は、周方向の各端部５２ａ同士を対向させて接続することにより、略円環状を成した光源部５１を形成することができる。各モジュール基板５４は、複数（本実施形態では３つ）のネジ部材５９で光源取付部３２に取り付けられている。モジュール基板５４は、配線５７によってＬＥＤ５３を点灯させるための電源部６１が有する電源装置６２と電気的に接続されている。各モジュール基板５４は、基板５２の実装面の裏面が光源取付部３２の照射面側に当接して固定されるため、各モジュール基板５４が発熱した際には、モジュール基板５４の熱が基部３１（光源取付部３２）に伝わる。基部３１（光源取付部３２）に伝わった熱は、基部３１からアーム部４１（特にアーム部材４２）、セード８１及びカバー９１に伝わる。各部材に伝わった熱は、それらの温度よりも周辺温度が低い場合、各部材の周辺の空気へ伝わる。これにより、各モジュール基板５４の熱は、灯具本体２１とアーム部４１の周囲の空気に放熱される。
なお、各モジュール基板５４は、熱伝導性シート（図示せず）や放熱グリスを介して光源取付部３２に取り付けてもよく、これにより、より高い放熱性を得ることができる。
また、本実施形態では、光源として発光素子の一例である、表面実装型のＬＥＤ５３を用いたが、光源の種類はＬＥＤに限定されず、例えばＣＯＢ型発光モジュールや有機ＥＬ素子（ＯＬＥＤ）などであっても実現可能である。
また、本実施形態では、各モジュール基板５４間を電気的に接続する配線部品５８により接続したが、特に限定するものではない。例えば、各モジュール基板５４にそれぞれ配線して各モジュール基板５４と電源部６１とを繋ぎ、個々に給電する構成としてもよい。
【００２４】
なお、本実施形態の照明器具１１では、ＬＥＤ５３から出射された光をレンズ等を用いずに直接利用する構成であるが特に限定するものではない。例えば、モジュール基板５４とセード８１との間において、レンズや光拡散部材等を設ける構成としてもよい。レンズや光拡散部材等を設けることで、モジュール基板５４から出射された光を配光制御して、照明器具１１から放射される光量や光の広がりを調節することができる。
【００２５】
セード８１は、基部３１の照射面側を覆う中空形状のセードである。セード８１は、光源取付部３２の照射面側に配置されたモジュール基板５４からの光を透過及び拡散させる光学部材である。セード８１は、上端が開放された断面視凹状である。本実施形態のセード８１では、その断面形状が直線形状の外周壁部８４と内周壁部８２、外周壁部８４と内周壁部８２の間を繋ぐ曲線形状の下面部８３とからなるよう形成した。セード８１は、外周壁部８４、下面部８３及び内周壁部８２からなる断面の回転面形状を有するリング状に形成した。セード８１は、円筒状の内周壁部８２と、該内周壁部８２から連設され、下方に行くに従って広がる曲面形状の下面部８３と、該下面部８３から上方に延設される円筒状の外周壁部８４を有している。セード８１の上端面の形状は、基部３１の形状と略同一もしくはやや大きい。セード８１は、内周壁部８２の内側面にネジ部材４９を螺合可能な複数（本実施形態では３つ）のネジ取付部８２ａが設けられている。セード８１は、透光性を有する半透明（例えば、乳白色）のアクリル樹脂素材等で形成される。セード８１が有するネジ取付部８２ａは、基部３１を介してアーム部４１が有するアームカバー４３のネジ取付部４３ｃと位置合わせされ、ネジ部材４９により螺合される。これにより、セード８１が基部３１の照射面側に固定される。
なお、セードの形状は、本実施形態の形状に限定するものではない。例えば、セードの断面形状を断面三角形状、断面四角状、断面多角形状または断面円弧状に構成することもできる。
また、セード８１の基部３１の固定方法は、特に本実施形態に限定するものではない。例えば、セード８１をネジ等の取付部材により基部３１に直接取り付ける構成とすることもできる。
本実施形態のセード８１では、下方に行くに従って広がる曲面形状の下面部８３を有するが、この形状にすることにより効率的に灯具本体２１の内側に光を拡散することが出来るため、照明器具１１の直下を明るくすることが出来る。
【００２６】
カバー９１は、光源取付部３２の取付面側（天井面側）を覆うためのカバーである。カバー９１は、灯具本体２１において天井面Ｃに対向する部分である。カバー９１は、平面視において径方向に所定の幅を有する略円環状で下端が開放された断面視矩形状である。本実施形態のカバー９１は、３つの略円弧状のカバー部材９５を組み合わせて略円環状になるように形成している。セード８１の下端面の形状は、基部３１の外形輪郭形状と略同一もしくはやや大きい。カバー９１は、上端面の径方向外側に化粧ネジ等のネジ部材９３（図３参照）を螺合可能な複数（本実施形態では３つ）のネジ取付部９２が設けられている。カバー９１は、アーム部４１に対応する位置に平面視略矩形状に切り欠かれた複数（本実施形態では３つ）の切欠き部９４が形成されている。カバー９１は、基部３１に取り付けられたアーム部４１の径方向の外側端部（アーム部４１の灯具本体２１側端部）が切欠き部９４の径方向外側部分で覆われた状態で、ネジ部材９３がネジ取付部９２と基部３１が有するカバー固定部３５に螺合されることで基部３１に取り付けられる。カバー９１は、ネジ部材９３だけで取り付けられているため、ネジ部材９３を外すことで基部３１に対して取外し可能である。基部３１からカバー９１を取外し可能にすることで、使用者が灯具本体２１内に侵入した埃や虫等の除去などが容易にできる。なお、セード８１内に進入した埃や虫等を除去する際には、カバー９１を固定しているネジ部材９３を外し、基部３１からカバー９１を外し、セード８１内部に挿通する基部３１の隙間部分を通じて外部に埃や虫等を排出することができる。カバー９１は全体を外しても良いが、所定のカバー部材９５のみを外して埃や虫等を除去する構成としても良い。
【００２７】
アーム部４１は、灯具本体２１と取付部７１とを結合し、該灯具本体２１を支持するアーム状の部分である。アーム部４１においては、電源部６１側に結合している前記アーム部４１の電源部側端部が、前記灯具本体２１側に結合しているアーム部４１の灯具本体側端部よりも上方に配置される。アーム部４１は、内部にモジュール基板５４から延びる配線５７を挿通可能である。アーム部４１は、金属製のアーム部材４２と、該アーム部材４２の照射面側（下側）を覆う樹脂製のアームカバー４３を有している。アーム部材４２は、平面視においてＶ字形状で、取付部７１に取り付けるアーム基部４２ａと、該アーム基部４２ａから二股に延出される細長い板状のアーム延出部４２ｂと、該アーム延出部４２ｂに連設され、基部３１に取り付けられる側面視Ｌ字状のアーム端部４２ｃを有している。アーム部材４２は、熱伝導率の高いアルミニウム等の金属素材を用いて形成されている。アームカバー４３は、平面視において三角形枠状である。アームカバー４３は、アームカバー本体４３ａと、アームカバー端部４３ｂを有している。アームカバー本体４３ａは、平面視においてＶ字状で断面視がＵ字状であり、アーム部材４２の照射面側（下側）を覆うとともにアームカバー本体４３ａの上端でアーム部材４２を嵌合する。アームカバー端部４３ｂは、アームカバー本体４３ａに連設され、アーム端部４２ｃを収容する部分である。アームカバー端部４３ｂは、セード８１が有するネジ取付部８２ａに対応する位置にネジ取付部４３ｃを有している。アーム部４１は、照射面側をアームカバー４３により覆われるとともに、アーム部材４２のアーム基部４２ａがネジ部材により取付部７１が有する取付金具７２に取り付けられ、アーム部材４２のアーム端部４２ｃがネジ部材により基部３１のアーム固定部３４に取り付けられる。アーム部材４２の２つのアーム端部４２ｃ・４２ｃは、複数からなる基部３１のうち隣り合う基部３１・３１のそれぞれにネジ部材により取り付けられる。
【００２８】
図５に示すように、アーム部材４２を嵌合したアームカバー本体４３ａは、灯具本体２１から径方向内側に向けて斜め上方に延出され、取付部７１及び電源部６１を灯具本体２１の取付面側で保持する。すなわち、図５に示すように、側面視において取付部７１及び電源部６１が灯具本体２１の基部３１よりも上方に配置されている。すなわち、基部３１の光源取付部３２に取り付けられているモジュール基板５４よりも上方に取付部７１及び電源部６１があるため、取付部７１及び電源部６１による影が発生しにくく、照明器具１１の直下を明るく照らすことができる。アーム部４１は、電源部６１側から灯具本体２１側に向かうにしたがって、取付部７１及び天井面Ｃから離間する。このように、取付部７１及び電源部６１を照明器具１１の中央に配置して、取付部７１がアーム部４１を介してリング状の灯具本体２１を支持する構成とすることで、平面視における取付部７１及び電源部６１と灯具本体２１との間に略円形状の空間Ｓが形成される。また、使用者は、空間Ｓを介して天井面Ｃを臨むことができる。アーム部４１は、分岐した構造を有しているため、分岐しない１本のアーム部よりも強度を確保することができるとともに、灯具本体２１の取付強度が向上する。アーム部４１を分岐した構造にすることによって強度を確保できるため、アーム部４１を金属材料のみで形成する必要は無く、本実施形態のようにアームカバー４３を樹脂材料で形成して、照明器具１１の軽量化を図ることができる。
なお、アーム部４１が有するアーム部材４２の一端（アーム基部４２ａ）は、取付部７１が有する取付金具７２に取り付けられるが、特に限定するものではない。例えば、電源部６１にアーム部材４２の一端（アーム基部４２ａ）を取り付ける構成としてもよい。
【００２９】
電源部６１は、平面視において照明器具１１の中央に配置され、電源装置６２、電源カバー６４、及び本体カバー６５を有している。電源部６１は、上部に取付部７１が配置される。
【００３０】
電源装置６２は、光源部５１のモジュール基板５４が有するＬＥＤ５３に給電を行って、ＬＥＤ５３を点灯、制御させるものである。具体的には、電源装置６２は、取付部７１を介して引掛シーリング１００から供給される交流電流を直流電流に変換し、変換後の電流をモジュール基板５４に実装された複数のＬＥＤ５３に供給する。電源装置６２にはコネクタ（図示せず）が設けられており、照明器具１１を天井に取り付ける際、配線部品であるアダプタ１１０と接続することで、引掛シーリング１００を介して外部電源と電気的に接続される。電源装置６２とモジュール基板５４は配線５７によって電気的に接続される。
【００３１】
電源部６１は、図７に示すように、モジュール基板５４が有するＬＥＤ５３に給電を行って、ＬＥＤ５３の点灯を制御するための電源装置６２や、リモコン（図示せず）からの無線信号（本実施形態では、赤外線による信号）を受信するリモコン受信部である受信部６３を備える。受信部６３は、電源装置６２に接続される。受信部６３は、平面視において電源部６１の外周縁近傍に配置される。受信部６３は、本体カバー６５の平坦な底部６５ｂの外周縁近傍に開口された受光窓６６の上部に配置されている。受信部６３は、受信部用基板６８に実装され、受信部用基板６８はネジ部材６９により本体カバー６５に固定される。受信部６３は、受信部用基板６８と電気的に接続されている。受信部用基板６８には、後述するチャンネル切替スイッチ６７が実装されている。受信部６３は、本体カバー６５の平坦な底部６５ｂに円形に開口された受光窓６６を介して使用者によって操作されるリモコンから送信される、無線信号を伝送媒体としたリモコン信号を受信することができる。受光窓６６は、平面視において本体カバー６５の底部６５ｂの外周縁近傍に配置され、後述するチャンネル切替スイッチ６７に近接して配置されている（図４参照）。リモコンにより受信部６３に所定の信号を送信することで使用者はモジュール基板５４（ＬＥＤ５３）の点灯、消灯、調光等を遠隔操作できる。電源装置６２は、電源カバー６４に収容された状態で本体カバー６５内に配置される。受信部６３とチャンネル切替スイッチ６７を実装した受信部用基板６８は、図７に示すように、本体カバー６５内の電源カバー６４よりも外側に配置される。
また、本実施形態ではリモコン信号を受信する受信部６３を設けたが、これに限らず、その他のセンサ制御方法を採用してもよい。また、無線信号による制御ではなく、有線での制御でもよく、その場合には受信部を設けなくてもよい。
【００３２】
電源カバー６４は、上端が開放された略有底箱状で本体カバー６５に収容可能な部材である。電源カバー６４は、電源装置６２等を収容するとともに、これらの周囲を覆うことで、熱伝導性及び電気的な絶縁性を確保する金属製の部材である。すなわち、電源装置６２等は、電源カバー６４内に収容されて本体カバー６５内に配置されるため本体カバー６５の内壁と直接接触せず、本体カバー６５と所定の距離が保持され、電気的な絶縁性が確保される。電源カバー６４の内部形状は、その高さ寸法及び幅寸法を電源装置６２等の高さ寸法及び幅寸法と略同一もしくはやや大きくになるように形成される。電源カバー６４の外形は、本体カバー６５内に収容可能に形成される。電源装置６２等は、電源カバー６４に収容された状態で、本体カバー６５の一端側（上端側）から本体カバー６５内に収容されて、ネジ部材により本体カバー６５の底部６５ｂに固定される。
【００３３】
本体カバー６５は、平面視において円形状で上端が開放された有底筒状の部材である。本体カバー６５は、電源カバー６４に収容された電源装置６２等を収容するものである。本体カバー６５は、円筒状の周壁部６５ａと、周壁部６５ａの一端を閉塞する底部６５ｂとからなる。周壁部６５ａは、平面視における形状が円形状であり、取付部７１の外装カバーとなる円筒カバー７９の平面視における外形輪郭形状と略同様になっている。図７に示すとおり、周壁部６５ａには、受光窓６６近傍にチャンネル切替スイッチ６７を挿通して突出させる開口が形成されている。底部６５ｂには、外周縁近傍に受信部６３を露出させるための受光窓６６が形成されている。本体カバー６５は、上端が取付金具７２により閉塞され、取付金具７２がネジ部材により取り付けられる。
【００３４】
チャンネル切替スイッチ６７は、リモコンに対応する照明器具１１を設定するためにチャンネルを選択して切り替えるスイッチである。チャンネル切替スイッチ６７は、電源部６１（底部６５ｂ）に設けられた受光窓６６の近傍であって電源部６１（周壁部６５ａ）の側部にスイッチ先端が突出した状態で配置される。
【００３５】
取付部７１は、天井面Ｃに照明器具１１を取り付けるためのものである。取付部７１は、電源部６１（周壁部６５ａ）の上部に配置され、照明器具１１を天井面Ｃに設けられた引掛シーリング１００に機械的及び電気的に取り付けるための部分である。取付部７１は、アーム部４１を介して灯具本体２１を支持する部分である。取付部７１は、取付金具７２、支持部材であるスタッド７８、及び円筒カバー７９を有する。取付金具７２は、円の対向する部分に切欠きを有するオーバル状の基板７３、該切欠きから立設される段差状（Ｌ字状）に屈曲した屈曲板部７４から構成される。屈曲板部７４は、上端部にスタッド７８を取り付ける略四角形の平板状のスタッド取付部７４ａを有する。スタッド取付部７４ａには、大径孔７５ａと小径孔７５ｂとからなる一対のダルマ孔７５・７５が、取付金具７２の軸中心に対して点対称な位置に穿設されている。ダルマ孔７５は、スタッド７８が有する一対のローレットビス７８ａの頭部（図７参照）が挿入される略真円形状の大径孔７５ａと、スタッド７８の回動方向に沿って大径孔７５ａより幅方向に小さい長孔形状の小径孔７５ｂとで構成されている。大径孔７５ａは、径がローレットビス７８ａの頭部よりもやや大きくなるように形成され、一対のローレットビス７８ａの位置に対応するように穿設されている。小径孔７５ｂは、平面視において大径孔７５ａと連続された長孔に形成され、周方向に沿って所定の長さで連続されている。そして、小径孔７５ｂは、大径孔７５ａより幅方向に小さくなるように、すなわち、ローレットビス７８ａの頭部が上下方向に挿通不可能となるように形成されるが、ローレットビス７８ａの軸部より幅方向に大きくなるように、すなわち、ローレットビス７８ａの軸部が挿通可能になるように形成されている。取付金具７２は、電源部６１（本体カバー６５）の上端を閉塞してネジ部材により電源部６１（本体カバー６５）に取り付けられる。
【００３６】
スタッド７８は、取付金具７２の上部に配置され、アダプタを介して灯具本体２１を天井面Ｃに設けられた引掛シーリング１００に係合されることで機械的及び電気的に接続するためのものである。スタッド７８は、平面視において略円形状で、中央部にアダプタ１１０を挿通する挿通孔７８ｂを有し、該挿通孔７８ｂにアダプタ１１０を挿通することでアダプタ１１０がスタッド７８に係合される。
【００３７】
円筒カバー７９は、取付金具７２、スタッド７８の周囲を一対の半筒状の部材を組み付けることで覆い、取付金具７２、スタッド７８を使用者から見えないようにするものである。円筒カバー７９は、プラスチック樹脂素材を用いて形成されている。円筒カバー７９は、シーリングカバーとも呼ばれる。
なお、本実施形態では配線部品として引掛シーリング１００を用いたが、これに限らず引掛ローゼットなどの配線部品を用いても良い。
【００３８】
本発明の第２実施形態としては、図１０から図１２に示す照明器具１１１を挙げることができる。第２実施形態に係る照明器具１１１は、第１実施形態のようにカバー９１を備えず、基部３１の替わりに、シャーシ１３１と、アーム部４１の代わりに細長い棒状のアーム部１４１を有するものである。シャーシ１３１は、３つの基部１３２を組み合わせてリング状となるように形成している。基部１３２は、光源配置部とその両側に連続するように２つの周壁部からなるように断面視コ字状（Ｕ字状）に形成する。基部１３２の照明器具１１１の被取付面と対向する部分が光源配置部であり、光源配置部の照射面側に光源部が配置される。光源部や電源部等のその他の構成は第１実施形態と同様であるため説明は省略する。第２実施形態に係る照明器具１１１では、カバー９１を備えない構成であるため、光源部から発生した熱は、シャーシ１３１に伝熱され、該シャーシ１３１から空気中に放熱される。これにより、第１実施形態よりもさらに放熱性が向上する。照明器具１１１では、アーム部４１の代わりに細長い棒状のアーム部１４１にすることで照明器具１１１の上下方向の通気性がさらに良くなり、放熱性がさらに向上する。
【００３９】
以上説明した本実施形態に係る照明器具１１では、灯具本体（発光部）２１と電源部６１を分離し、灯具本体（発光部）２１と電源部がアーム部４１によって結合されている。すなわち、照明器具１１では、灯具本体（発光部）２１と電源部６１が分離されているため、光源部５１と電源部６１からそれぞれ発生する熱を互いに干渉しにくい。また、灯具本体２１と電源部６１の間に空間Ｓ（隙間）を有するため、灯具本体２１の天井面側に熱が籠りにくく、放熱性が向上する。
【００４０】
本実施形態の照明器具１１では、照明器具１１を取り付ける取付部７１を有し、電源部６１は取付部７１の下部に重なるように配置され、且つ、照明器具１１の中央に取付部７１及び電源部６１を配置し、その外周側に灯具本体２１を空間（隙間）Ｓを有するように配置している。このように、灯具本体２１と取付部７１及び電源部６１との間に空間（隙間）Ｓを有するため、照明器具１１を天井面Ｃに取り付ける際に目視しやすい。さらに、その空間Ｓを利用して（例えば、空間Ｓに手を差し込んで）取り付けることができるため照明器具１１の取り付け作業がしやすい。また、空間（隙間）Ｓを設けたことで、照明器具１１における天井側と照射面側との通気性が良くなり、照明器具１１の天井面Ｃに空気が滞留して熱が籠ることを防ぎ、放熱性が良くなる。
本実施形態では、電源部６１を取付部７１の下部に重なるように配置したが、これに限らず、取付部７１に重ならないように取付部７１の周囲に配置しても良い。この構成の場合には、電源部６１と取付部７１を重ねないため照明器具１１の薄型化が可能となる。
本実施形態では、電源部６１と取付部７１を照明器具１１の中央に配置したが、これに限らず、灯具本体２１と電源部６１が分離される位置ならば照明器具１１の中央以外の位置に配置してもよい。
【００４１】
本実施形態の照明器具１１では、アーム部４１が取付部７１から灯具本体２１に向かうにしたがって、天井面Ｃから離間するように傾斜して取り付けられている。これにより、光源部５１と天井面Ｃとの距離が離れるため、灯具本体２１の取付面側（天井面側）においてさらに熱が籠りにくい。具体的には、照明器具１１では、灯具本体２１が天井面Ｃとの間に隙間Ｄ（図５参照）を有する。そのため、円形状や直方形状等の扁平な天井直付け型の照明器具よりも、灯具本体２１の天井面Ｃ側で空気の流れが滞留することを抑え、周辺の空気との接触面積を増やせるので、放熱性を高められる。さらに、灯具本体２１の外形形状を中空形状とすることで、灯具本体２１と天井面Ｃの間の空気の流れが滞留することをより抑えることができ、周辺の空気との接触面積を増やせるので、放熱性をさらに高められる。すなわち、照明器具１１によれば、天井面Ｃと照明器具１１の背面側との間で空気の流れが滞留することを防ぎ、灯具本体２１から天井面側（器具背面側）へと放出される熱が照明器具１１背面側の中央部にこもることを抑え、放熱性が良好となる。さらに、照明器具１１において、灯具本体２１の上部のカバー９１の断面形状をカバー９１のような矩形状以外に、半円状や半楕円形状にすることで、灯具本体２１の径方向の空気抵抗が低減し、空気の流れがスムーズになる。つまり、灯具本体２１の天井面側の通風性（空気の流動性）がより良くなり、放熱性をさらに高められる。アーム部４１が有するアーム部材４２は、基部３１に直接取り付けられるため、基部３１に溜まった熱はアーム部材４２へと伝播し、該アーム部材４２からも放熱されるため、さらに放熱性が向上する。
また、本実施形態ではアーム部４１を独立した部材で形成したが、これに限らず、例えば、取付部７１（取付金具７２）と一体、もしくは基部３１と一体となるように形成してもよい。
【００４２】
本実施形態の照明器具１１では、灯具本体（発光部）２１の外形形状が中空形状であるため、取付作業者が手で持ちやすい。
【００４３】
特許文献１に開示された照明器具のようにリモコン受信部が照明器具の中央付近から外れた位置に配置されている場合、全方向からのリモコン信号の受信感度を均一にできない可能性がある。これに対して、本実施形態では、照明器具１１の中央付近の電源部６１の受光窓６６から受信できる位置に受信部６３を配置する。そのため、照明器具の照射面側の全方向からのリモコン信号の受信感度を略均一にすることができる。
【００４４】
また、通常のチャンネル切替スイッチは、目立たないようにするため、セードを覆ったときに見えなくなるように配置されている。そのため、チャンネル切替を行う際にはセードを取り外す必要がある。一方、本実施形態の照明器具１１では、有底筒状に形成され、電源装置６２が収納される本体カバー６５の側面（周壁部６５ａ）にチャンネル切替スイッチ６７を有している。これにより、使用者は、セード８１を取り外さずにリモコンのチャンネルを切り替えることができる。また、チャンネル切替スイッチ６７を電源部６１の側面に設けたので、目立たない。また、チャンネル切替スイッチ６７は、受光窓６６に近接して配置されている。これにより、該受光窓６６の奥に配置される受信部６３とチャンネル切替スイッチ６７を一枚の基板で構成できるため、コスト面で有利となる。
【００４５】
本実施形態の照明器具１１では、灯具本体２１の取付面側（天井面側）に基部３１に対して着脱可能なカバー９１を有している。これにより、虫などが侵入した場合、照射面側（光源であるＬＥＤ５３の実装面側）からではなく取付面側から虫を除去することができる。これにより、セード８１を外さない構成とすることができ、使用者がモジュール基板５４の通電部に触れる可能性が低いため安全である。
なお、使用者がモジュール基板５４の通電部に触れないようにカバーなどの手段を設け、セード８１を着脱可能な構成としてもよい。
【００４６】
本実施形態の照明器具１１では、スタット７８と電源部６１とを接続するためのローレットビス７８ａを有し、該ローレットビス７８ａを通すダルマ孔７５を平面視においてアーム部４１と重ならない位置に配置している。これにより、照明器具１１を取り付ける際に、アーム部４１が邪魔にならず、照明器具１１の取付性が向上する。
【００４７】
以上、本発明の実施形態について説明したが、本発明は上記実施形態に限定されるものではなく、様々な変更が可能である。例えば、照明器具１１はシーリングライトの他、ペンダントライト等に適用してもよい。
【符号の説明】
【００４８】
１１    照明器具
２１    灯具本体
４１    アーム部
５１    光源部
５３    ＬＥＤ
５４    モジュール基板
６１    電源部
７１    取付部
Ｃ      天井面
Ｓ      空間
【図１】
0006417609.tif 000002
【図２】
0006417609.tif 000003
【図３】
0006417609.tif 000004
【図４】
0006417609.tif 000005
【図５】
0006417609.tif 000006
【図６】
0006417609.tif 000007
【図７】
0006417609.tif 000008
【図８】
0006417609.tif 000009
【図９】
0006417609.tif 000010
【図１０】
0006417609.tif 000011
【図１１】
0006417609.tif 000012
【図１２】
0006417609.tif 000013